(57)【要約】 【課題】  閉扉時、ラッチが完全に突出した場合に確実な閉扉状態の信号を取得すること。【解決手段】  錠箱又は戸枠に設けられた閉扉確認用スイッチが検知した閉扉信号を、制御部を経由して取得する電気錠の閉扉信号制御装置に於いて、前記制御部は、閉扉信号を、閉扉時におけるラッチの完全突出に基づく閉扉確認用スイッチにより取得することを特徴とする電気錠の閉扉信号制御装置。【選択図】  図１
2005248500.tif 000002
【特許請求の範囲】
【請求項１】
錠箱又は戸枠に設けられた閉扉確認用スイッチが検知した閉扉信号を、制御部を経由して取得する電気錠の閉扉信号制御装置に於いて、前記制御部は、閉扉信号を、閉扉時におけるラッチの完全突出に基づく閉扉確認用スイッチにより取得することを特徴とする電気錠の閉扉信号制御装置。
【請求項２】
請求項１に於いて、閉扉確認用スイッチ１１は、閉扉時、ラッチ８が完全に突出して受け金具Ｙの係合孔に係合すると、その可動接片１１ａがラッチ軸２４に設けられたスイッチ用駆動片２６に押圧されて閉扉信号を検出することを特徴とする電気錠の閉扉信号制御装置。
【請求項３】
請求項１に於いて、制御部は、取得した閉扉信号を処理して駆動源の起動を制御することを特徴とする電気錠の閉扉信号制御装置。
【請求項４】
錠箱又は戸枠に設けられた閉扉確認用スイッチが検知した閉扉信号を、制御部を経由して取得する電気錠の閉扉信号制御装置に於いて、前記制御部は、閉扉時における第１閉扉確認用スイッチ１０の閉扉信号ａ及びラッチ８の完全突出に基づく第２閉扉確認用スイッチ１１の閉扉信号ｂをそれぞれ受け取ったか否かを判別する入力信号判別手段１６を介して閉扉状態の信号を取得することを特徴とする電気錠の閉扉信号制御装置。
【請求項５】
請求項４に於いて、入力信号判別手段１６は、ＡＮＤ回路であることを特徴とする電気錠の閉扉信号制御装置。
【請求項６】
請求項４に於いて、制御部は、取得した閉扉信号を処理して駆動源の起動を制御し、該駆動源３が起動すると、ダルマ５の駆動力によりデッドボルト６が突出すると共に、デッド用施・解錠手段７により該デッドボルトが施錠され、さらに、デッドボルト６の突出に連動してラッチ用施・解錠手段９が作動してラッチ８を施錠することを特徴とする電気錠の閉扉信号制御装置。
【請求項７】
請求項６に於いて、ラッチストッパー３４は、デッドボルト６の第２係合部６ｂと係合可能な係合突起３４ａ及びラッチ本体２１と係合可能なラッチ係合部３４ｂとを有することを特徴とする電気錠の閉扉信号制御装置。
【請求項８】
請求項４に於いて、制御部は、取得した閉扉信号を処理して知らせる手段１９を制御することを特徴とする電気錠の閉扉信号制御装置。
【発明の詳細な説明】
【技術分野】
【０００１】
本発明は、電気錠の閉扉信号制御装置に関する。
【背景技術】
【０００２】
特許文献１には、「自由側端縁に埋設されかつ駆動源用の制御回路に接続されたリードスイッチと、閉扉時、リードスイッチに対向する扉枠の部分に埋設されかつ室内側の制御装置に接続された電磁石とを有し、電磁石への電流を断続することによりリードスイッチを駆動する発明」が記載されている。
【０００３】
この発明は、錠箱又は戸枠に設けられた閉扉確認用スイッチが検知した閉扉信号を、例えば制御部を経由して開閉扉の錠箱内に設けられた駆動源を起動する電気錠の閉扉信号制御装置の一例であり、出願人が提案したものであるが、閉扉確認用スイッチはリードスイッチであるため、開閉扉が完全に閉まらない場合にも、リードスイッチが磁界の領域に存在する限り、磁束が通ることにより、その接点が閉成され、「スイッチＯＮの状態」になる。そのために、ラッチそのものを施錠することができないのみならず、場合によってはデッドボルトが受け金具に衝突した状態であるにも係らず、制御部が駆動源に駆動信号を送るという不具合が懸念される。
【０００４】
一方、特許文献２には、「電気錠に対する特別な知識がなくても、電気錠の設置や施工ができるように、電気錠の錠箱に、電気錠の状態信号を検知する閉扉スイッチと施錠スイッチとをそれぞれ設け、これらのスイッチの各信号を認識する信号認識手段及び錠種判定手段を介して制御手段が錠箱内の電磁アクチュエータに電位信号を送る構成」が記載されている。
【０００５】
この実施例は、錠箱内に二種類のスイッチを配設するものであるが、開閉扉が完全に閉じたか否かを検出するためのものではなく、前記錠種判定手段がパルス制御による電気錠か、それともレベル制御による電気錠かを判定するための部材である。したがって、本発明の目的・効果とは著しく相違する。
【特許文献１】特許公開平５−２１４８５５号公報
【特許文献２】特開平８−９３２８６号公報
【発明の開示】
【発明が解決しようとする課題】
【０００６】
本発明の第１の目的は、閉扉時に於いて、ラッチが完全に突出した場合に閉扉状態の信号を取得することができることである。第２の目的は、閉扉時における第１閉扉確認用スイッチ及びラッチの突出に基づく第２閉扉確認用スイッチの作動を併用し、扉が完全に閉じたことを判別した上で閉扉状態の信号を取得することである。第３の目的は、制御部が取得した確実な閉扉状態の信号を、色々の態様の信号（駆動源の起動信号、表示信号、報知信号など）に利用することができることである。第４の目的は、制御部が確実な閉扉状態の信号を駆動源の起動信号として利用した場合に於いて、錠箱内に配設したラッチ用施・解錠手段が、閉扉時に確実に作動することである。
【課題を解決するための手段】
【０００７】
本発明の電気錠の閉扉信号制御装置は、錠箱又は戸枠に設けられた閉扉確認用スイッチが検知した閉扉信号を、制御部を経由して取得する電気錠の閉扉信号制御装置に於いて、前記制御部は、閉扉信号を、閉扉時におけるラッチの完全突出に基づく閉扉確認用スイッチにより取得することを特徴とする。
【０００８】
また、本発明の電気錠の閉扉信号制御装置は、錠箱又は戸枠に設けられた閉扉確認用スイッチが検知した閉扉信号を、制御部を経由して取得する電気錠の閉扉信号制御装置に於いて、前記制御部は、閉扉時における第１閉扉確認用スイッチ１０の閉扉信号ａ及びラッチ８の完全突出に基づく第２閉扉確認用スイッチ１１の閉扉信号ｂをそれぞれ受け取ったか否かを判別する入力信号判別手段１６を介して閉扉状態の信号を取得することを特徴とする。
【発明の効果】
【０００９】
（１）閉扉時に於いて、ラッチが完全に突出した場合に閉扉状態の信号を取得することができる。
（２）閉扉時における第１閉扉確認用スイッチ及びラッチの突出に基づく第２閉扉確認用スイッチの作動を併用し、扉が完全に閉じたことを判別した上で閉扉状態の信号を取得することができる。
（３）制御部が取得した確実な閉扉状態の信号を、色々の態様の信号（駆動源の起動信号、表示信号、報知信号など）に利用することができる。
（４）その他、付随的な効果として、制御部が確実な閉扉状態の信号を駆動源の起動信号として利用した場合に於いて、錠箱内に配設したラッチ用施・解錠手段が、閉扉時に確実に作動する。
【発明を実施するための最良の形態】
【００１０】
以下、図１乃至図４に示す本発明を実施するための最良の形態により説明する。
【００１１】
（１）発明の実施の環境
図１は電気錠Ｘの閉扉信号制御装置のブロック図である。なお、図１は、説明の便宜上、制御部１７が取得した確実な閉扉状態の信号を、色々の態様の信号（駆動源の起動信号、表示信号、報知信号など）に利用することができる旨を図示しているが、本発明の本質的事項は、前記制御部１７が、閉扉信号を、閉扉時におけるラッチ８の完全突出に基づく閉扉確認用スイッチ１１により取得することである。
【００１２】
まず、図１を参照にして本発明の主要部と共に、発明の実施の環境を示す各部材を説明する。部屋の出入り口に設けられた開閉扉１の自由端部には電気錠Ｘを構成する錠箱２が設けられている。この錠箱２には、例えば駆動源３、駆動源３の動力を伝達する歯車伝達機構４、歯車伝達機構４の伝動歯車によって駆動するダルマ５、ダルマ５の駆動力により錠箱２のフロントから突出するデッドボルト６、突出したデッドボルト６を自動的に施錠するデッド用施・解錠手段７、閉扉時に突出したラッチ８をデッドボルト６に連動して施錠するラッチ用施・解錠手段９、閉扉時における閉扉信号ａを検出する第１閉扉確認用スイッチ１０、前記ラッチ８の突出に基づき閉扉信号ｂを検出する第２閉扉確認用スイッチ１１がそれぞれ適宜に配設されている。これらの部材の中で、本発明の特定要件は、少なくとも閉扉時における第２閉扉確認用スイッチ１１である。
【００１３】
次に部屋の出入り口の扉枠１２には第１閉扉確認用スイッチ１０を構成する磁石（例えば永久磁石、電磁石など）１３が設けられている。磁石１３は、望ましくは非磁性体に適宜に固定されている。電気錠Ｘを構成する制御器１５は、室内の壁面に適宜に設置されている。制御器１５と各部材を備えた錠箱２は、いわゆる電気錠のユニットを構成し、本発明に必要な閉扉信号制御装置の制御回路を構成する。
【００１４】
そのために、電気錠の制御器１５は、閉扉時における第１閉扉確認用スイッチ１０の閉扉信号ａ及びラッチ８の突出に基づく第２閉扉確認用スイッチ１１の閉扉信号ｂをそれぞれ受け取ったか否かを判別する入力信号判別手段（例えばＡＮＤ回路）１６と、この入力信号判別手段１６から出力された閉扉状態ＯＫの判定信号ｃを取得する制御部１７とを備えている。
【００１５】
しかして、前記制御部１７は、確実な閉扉状態の信号を利用して、例えば聴覚に訴える報知装置、視覚に訴える照明装置などの知らせる手段１９、駆動源３の起動等を制御する。
【００１６】
（２）第１閉扉確認用スイッチ１０
錠箱２の適宜箇所に第１閉扉確認用スイッチ１０（例えばリードスイッチ）を設け、一方、閉扉時に第１閉扉確認用スイッチ１０と対向する磁石（例えば永久磁石）１３を扉枠１２の適宜部位（ストライクも含む）に固定する。または、開閉扉１の自由側端縁に永久磁石１３を装着し、閉扉時に永久磁石１３と対向する扉枠の適宜部位にリードスイッチ１０を設ける。
【００１７】
或いはまた、特開平５−２１４８５５号には、自由側端縁に埋設されかつ駆動源用の制御回路に接続されたリードスイッチと、閉扉時、リードスイッチに対向する扉枠の部分に埋設されかつ室内側の制御装置に接続された電磁石とを有し、電磁石への電流を断続することによりリードスイッチを駆動する発明が記載されているが、このような公知の実施例も第１閉扉確認用スイッチ１０に含まれる。
【００１８】
閉扉時、第１閉扉確認用スイッチ１０が磁石１３に対向すると、磁束が通ることにより、その接点が閉成され、「スイッチＯＮの状態」になる。これが第１の閉扉信号ａである。この第１の閉扉信号ａは信号線Ｌ１を介して入力信号判別手段１６に送られる。
【００１９】
（３）ラッチ８
図２を参照にしてラッチ８を説明する。ラッチ８は、本実施例では反転ラッチを採用している。反転ラッチ８は、開閉扉１が正常に閉まった時に受け金具Ｙの係合孔と係合するように突出する。また反転ラッチ８は、デッドボルト６が解錠状態になると反転可能であるから、必ずしも反転ラッチ８を後退させるためのレバーハンドルは必要でない。解錠時には開閉扉１を押すだけでも反転ラッチ８は後退する。もちろん、錠箱２にレバーハンドルを設け、該レバーハンドルを操作することにより反転ラッチ８を後退させても良い。
【００２０】
しかして、反転ラッチ８は、受け金具Ｙに係脱する反転ラッチ本体２１、反転ラッチ本体２１を軸支する垂直軸２２、バネ端等の装着枠部分２３、この装着枠部分２３に先端部が固定的に入り込む長杆状のラッチ軸２４、このラッチ軸２４に巻装されたラッチバネ２５、前記ラッチ軸２４の後端部に固定的に設けられたアングル状のスイッチ用駆動片２６を備えている。
【００２１】
ラッチバネ２５の一端部２５ａは装着枠部分２３に支持され、一方、他端部２５ｂは錠箱２内に固定された枠状支持片２８の垂直壁部２８ａに添設したラッチバネ受け２９に支持されている。
【００２２】
本実施例のラッチ用施・解錠手段９は、デッドボルト６の第２係合部６ｂと係合可能な係合突起３４ａ及びラッチ本体２１と係合可能なラッチ係合部３４ｂとを有するラッチストッパー３４を備えているが、前記ラッチ係合部３４ｂは、ラッチ本体２１或いはバネ端等の装着枠部分２３に係脱する。
【００２３】
（４）第２閉扉確認用スイッチ１１
第２閉扉確認用スイッチ１１は、図２で示すように錠箱２内の下部に固定板３０を介して配設されている。第２閉扉確認用スイッチ１１の一例としては、可動接片１１ａを有するマイクロスイッチが用いられている。第２閉扉確認用スイッチ１１の信号線Ｌ２は、第１閉扉確認用スイッチ１０の信号線Ｌ１と同様に錠箱２内の空間を適宜に引き回した上でかつ配線用案内短筒等を介して制御器１７の入力信号判別手段１６に接続されている。
【００２４】
また、錠箱２内に図示しないプリント基板が設けられている実施例の場合には、前記信号線Ｌ１、Ｌ２をプリント基板にそれぞれ直付けする。
【００２５】
前述したように、第２閉扉確認用スイッチ１１は、閉扉時におけるラッチ８の突出に基づく閉扉信号ｂを検出する。図２は閉扉時における反転ラッチ８のスイッチ用駆動片２６と第２閉扉確認用スイッチ１１の可動接片１１ａとの関係を示す。この図２から明らかなように、閉扉時に反転ラッチ８が完全に突出して受け金具Ｙの係合孔に係合すると、前記可動接片１１ａはスイッチ用駆動片２６に押圧され、「スイッチＯＮの状態」になる。これが第２の閉扉信号ｂである。この第２の閉扉信号ｂは、信号線Ｌ２を介して入力信号判別手段１６に送られる。
【００２６】
一方、図３は開扉途中における反転ラッチ８のスイッチ用駆動片２６と第２閉扉確認用スイッチ１１の可動接片１１ａとの関係を示す。この図３から明らかなように、扉を開ける時には、反転ラッチ８は受け金具Ｙの係合孔の縁部に摺接し、かつ、回転しながらラッチバネ２５のバネ力に抗して後退動するので、スイッチ用駆動片２６は可動接片１１ａから一時的に離れ、この時「スイッチＯＦＦの状態」になる。
【００２７】
（５）入力信号判別手段１６
入力信号判別手段１６は、開閉扉１を閉めると、第１閉扉確認用スイッチ１０の閉扉信号ａ及びラッチ８の突出に基づく第２閉扉確認用スイッチ１１の閉扉信号ｂをそれぞれ受け取ったか否かを判別する。本実施例では、入力信号判別手段１６の一例として「ＡＮＤ回路」を採用している。
【００２８】
したがって、入力信号判別手段１６は、前記閉扉信号ａ、ｂを同時或いは略同時に受け取った場合に於いて、いわば「閉扉状態ＯＫ」と判定し、この判定信号ｃを制御部１７の入力端子へと出力する。制御部１７は、例えば開閉扉１の閉時状態又は／及び電気錠Ｘの施・解錠状態を一時的に記憶する記憶部（ＲＡＭ）１８を有している。また、制御部１７は、入力信号判別手段１６から取得した確実な閉扉状態の信号を利用して、聴覚に訴える報知装置、視覚に訴える照明装置などの知らせる手段１９を制御する。また、制御部１７は、「閉扉状態ＯＫの判定信号ｃ」を入力信号判別手段１６から受け取ると、記憶部（ＲＡＭ）１８にアクセスし、又はアクセスしないで駆動信号（給電信号）ｄを駆動源３に送る。駆動源３はこれにより起動する。なお、前記制御部１７には、駆動源３起動用のタイマー回路を適宜に接続しても良い。
【００２９】
（６）電気錠の機械的構成
図４は、完全閉扉時の一実施例を示す。この図４に於いて、制御器１５が錠箱２内の駆動源３に駆動信号ｄを送った場合における電気錠の構成・作動態様を示す。駆動源３の一例としては、マイクロモータ等の電動機が用いられている。しかして、駆動信号ｄにより駆動源３が起動すると、歯車伝達機構４を介してダルマ５がデッドボルト６を押す出す方向（施錠方向）へと回転する。
【００３０】
駆動源３の駆動力（又はサムターンの操作）により、ダルマ５が施錠方向へ回転する場合には、その回転中、デッド用施・解錠手段７の押し下げ部材３１は、デッドボルト６の下方に配設されたデッドストッパー３２を付勢バネのバネ力に抗して押し下げる。したがって、デッドボルト６はデッドストッパー３２から解放されるので、錠箱２内から突出する。
【００３１】
デッドボルト６が錠箱２から進出すると、デッドストッパー３１はダルマ５の回転途中で押し下げ部材３１を介して一旦押し下げられるものの、ダルマ５の駆動腕５ａが再び傾倒状態になると、付勢バネのバネ力により、デッドボルト６の第１係合部６ａに係合する方向へと回転し、進出したデッドボルト６を施錠（係止）する。
【００３２】
デッドボルト６は、ダルマ５の下方に配設され、錠箱２の案内部等を介して進退動可能に設けられている。このデッドボルト６の後端部下方は斜め方向にカットされ、ラッチ用施・解錠手段９のラッチストッパー３４の親指状係合突起３４ａと係脱可能である。ここでは、ラッチストッパー３４と係脱可能なデッドボルト６の後端部の係合部分を「第２係合部６ｂ」と称する。
【００３３】
それ故に、デッドボルト６は、上位の第１の固定支軸３５に軸支されたデッドストッパー３２に対する第１係合部６ａと、下位の第２の固定支軸３７に軸支されたラッチス    トッパー３４に対する第２係合部６ｂとを有する。
前述したように、ラッチ用施・解錠手段９は、デッドボルト６が進退動すると、該デッドボルト６に連動してラッチ８を施錠又は解除するラッチストッパー３４を備えている。このラッチストッパー３４は、本実施例ではデッドボルト６の後端部に押されると、第２固定支軸３７に軸支され、かつ、該第２の固定支軸３７に中央部が巻装されたラッチストッパー用バネ３８のバネ力により係止（施錠）方向へ回転し、又は該バネ３８のバネ力に抗して係止解除（解錠）の方向へと回転する。
【００３４】
上記のように、制御部１７は、閉扉時にラッチ８が完全（確実）に突出した場合に入力信号判別手段１６を介して駆動源３に駆動信号ｄを送る。これにより駆動源３が起動すると、ダルマ５の駆動力によりデッドボルト６が突出すると共に、デッド用施・解錠手段７により該デッドボルトが自動的に施錠され、さらに、本実施例では、デッドボルト６の突出に連動してラッチ用施・解錠手段９が作動してラッチ８を確実に施錠する。したがって、本実施例の電気錠Ｘは、デッドボルト６とラッチ８とを施錠する二重ロックである（二重施錠）。
【実施例】
【００３５】
発明の実施の形態で示した実施例に於いて、ラッチ８の突出に基づく第２閉扉確認用スイッチ１１は、可動接片１１ａを有するマイクロスイッチであるが、例えば電気錠Ｘの制御回路に電気的に接続し、かつ、錠箱２内に配設された発光素子と受光素子との組合せであっても良い。要は、ラッチ８が完全に突出して受け金具Ｙに係合した時に、「閉扉信号を検出することができるスイッチ」であれば良い。なお、特に図示しないが、錠箱内には、デッドボルト６の施錠状態又は解錠状態をそれぞれ検出する施・解錠状態検出スイッチが適宜に配設されている。
【産業上の利用可能性】
【００３６】
本発明は、主に建具や電気錠の業界で利用される。
【図面の簡単な説明】
【００３７】
図１乃至図４は本発明の最良の実施例を示す各説明図。
【図１】電気錠Ｘの閉扉信号制御装置のブロック図。
【図２】閉扉時の状態を示す説明図。
【図３】開扉する途中（ラッチが引っ込んだ時）の説明図。
【図４】完全閉扉時における電気錠の構成・作動態様を示す説明図。
【符号の説明】
【００３８】
Ｘ…電気錠、Ｙ…受け金具、１…開閉扉、２…錠箱、３…駆動源、４…歯車伝達機構、５…ダルマ、５ａ…駆動腕、６…デッドボルト、６ａ…第１係合部、６ｂ…第２係合部、７…デッド用施・解錠手段、８…ラッチ、９…ラッチ用施・解錠手段、１０…第１閉扉確認用スイッチ、１１…第２閉扉確認用スイッチ、１２…戸枠、１３…磁石、１５…制御器、１６…入力信号判別手段、１７…制御部、３０…固定板、３１…押し下げ部材、３２…デッドストッパー、３４…ラッチストッパー、３５…第１固定支軸、３７…第２固定支軸、３８…ラッチストッパー用バネ、ａ…第１閉扉信号、ｂ…第２閉扉信号、ｃ…判定信号、ｄ…駆動信号。
【図１】
2005248500.tif 000003
【図２】
2005248500.tif 000004
【図３】
2005248500.tif 000005
【図４】
2005248500.tif 000006